(57)【特許請求の範囲】
【請求項１】
像担持体上に形成されたトナー像を記録媒体上に転写する画像形成部と、
該画像形成部において記録媒体上に転写されたトナー像を記録媒体上に溶融定着する定着部と、
該定着部によりトナー像が定着された記録媒体を排出する排出部と、
記録媒体を前記画像形成部から前記排出部へと搬送するための用紙搬送路と、
装置本体の上面及び側面に沿って延設され、一方の面に画像形成がなされた記録媒体を反転させて前記画像形成部へと再搬送するための反転搬送路と、
装置本体の上側にて前記定着部を覆うように揺動可能に配置され、搬送ガイド面にて前記用紙搬送路の一部を形成する一方、前記搬送ガイド面の反対側に向き合う反転ガイド面にて前記反転搬送路の一部を形成する反転ガイド部材と、
装置本体の上面に対して回動可能に支持され、回動動作によって装置本体の上面を開閉可能とする上面カバーと、
該上面カバーの開閉動作に連動して、前記反転ガイド部材を、前記定着部を露出させる位置と、前記定着部を覆う位置とに揺動させる駆動機構と、
を備え、
前記駆動機構は、
前記反転ガイド部材の揺動中心を構成する第１回転軸と、
該第１回転軸から第１の距離だけ離間して前記反転ガイド部材に設けられた第１係合部と、
前記上面カバーの回動中心を構成する第２回転軸と、
該第２回転軸から第２の距離だけ離間して前記上面カバーに設けられ前記第１係合部に係合可能である第２係合部と、
を備え、
前記上面カバーの開方向への回動動作に連動して、前記第２係合部が前記第２回転軸を中心として回動することによって、前記第１係合部が持ち上げられ、前記反転ガイド部材が前記第１回転軸を中心として揺動することを特徴とする画像形成装置。
【請求項２】
前記第１係合部は下面が係合面となる凹面状に形成され、前記第２係合部は前記第１係合部の係合面に当接可能である上面を有するフック形状に形成されることを特徴とする請求項１に記載の画像形成装置。
【請求項３】
前記第１の距離は前記第２の距離より小さく構成されることを特徴とする請求項１又は請求項２に記載の画像形成装置。
【請求項４】
装置本体の側面に対して回動可能に支持され、回動動作によって装置本体の側面を開閉可能とし、開方向の回動によって前記反転搬送路を装置本体から露出させる側面カバーをさらに備え、
前記上面カバーの開方向への回動動作によって、前記上面カバーは、前記側面カバー側が開放されるように構成されるとともに、前記反転ガイド部材は、前記定着部が前記側面カバー側に向けて装置本体から露出するように構成されることを特徴とする請求項１〜請求項３のいずれかに記載の画像形成装置。
【請求項５】
前記上面カバーは、装置本体の上面を形成するカバー部材と、前記反転ガイド面に対向して配置される搬送ガイド部材とを有することを特徴とする請求項１〜請求項４のいずれかに記載の画像形成装置。
【発明の詳細な説明】
【技術分野】
【０００１】
本発明は、複写機、プリンター、ファクシミリ、それらの複合機等の画像形成装置に関し、特に、装置上方に位置する定着部のジャム処理機構を有する画像形成装置に関するものである。
【背景技術】
【０００２】
従来、プリンターやその複合機等の画像形成装置では、画像形成部で画像形成処理が施され、画像形成部によってトナー像が転写された用紙を縦方向に向けて形成された用紙搬送路に沿って搬送し、用紙搬送路の上方に配置された定着部で用紙へのトナー像の定着処理を施した後、定着部の上方に設けられた排出部へ用紙を排出するようになっているものがある。このような構成では、通常、側面カバーが画像形成装置の装置本体の側壁に開閉可能に設けられ、用紙搬送路および定着部は側面カバーの直ぐ内側に配設されている。従って、用紙搬送路あるいは定着部で紙詰りが生じたときには、この側面カバーを開放することにより紙詰まりの生じた位置が外部に露出されるため、紙詰りの解消作業を容易に行うことができる。
【０００３】
例えば、特許文献１に記載の画像形成装置は、トナー像の形成された用紙を定着部に向けて縦方向に搬送する用紙搬送路と、装置本体の上部に定着処理後の用紙が排出される排出部と、用紙搬送路及び定着部を覆う開閉自在の側面カバーと、側面カバーの開閉動作に連動して加圧ローラーによる加圧状態と加圧の解除状態とに状態を変化させる状態変化機構と、を備える。側面カバーの閉動作によって、状態変化機構が加圧状態に設定され定着処理が可能となり、側面カバーの開動作によって、状態変化機構が加圧の解除状態に設定され定着部での紙詰りの解消操作を行うことが可能となる。
【先行技術文献】
【特許文献】
【０００４】
【特許文献１】特開２００８−１２２７４４号公報（特許請求項、第１図）
【発明の概要】
【発明が解決しようとする課題】
【０００５】
近年、プリンターやその複合機等の画像形成装置は、両面印刷が可能になってきている。両面印刷を可能とするために、画像形成後さらに定着処理した用紙を排出部に搬送する用紙搬送路とともに、一方の面に画像形成した用紙を反転させて画像形成部へ再搬送する反転搬送路が必要である。反転搬送路は、定着部と排出部との間の用紙搬送路から分岐して再度画像形成部に向う搬送路であり、通常、縦方向に延びる用紙搬送路と側面カバーとの間に形成される。このような構成の画像形成装置において、定着部で紙詰りが生じたとき、ジャム処理のために、側面カバーを開放しても、反転搬送路の奥に定着部が配置されているので、定着部に詰まった用紙を取り除くのが難しいという問題があった。
【０００６】
本発明は、上記のような課題を解決するためになされたものであり、用紙の反転搬送路を備えていても簡単な操作にて定着部のジャム処理が行える画像形成装置を提供することを目的とする。
【課題を解決するための手段】
【０００７】
上記目的を達成するために第１の発明の画像形成装置は、像担持体上に形成されたトナー像を記録媒体上に転写する画像形成部と、該画像形成部において記録媒体上に転写されたトナー像を記録媒体上に溶融定着する定着部と、該定着部によりトナー像が定着された記録媒体を排出する排出部と、記録媒体を前記画像形成部から前記排出部へと搬送するための用紙搬送路と、装置本体の上面及び側面に沿って延設され、一方の面に画像形成がなされた記録媒体を反転させて前記画像形成部へと再搬送するための反転搬送路と、装置本体の上側にて前記定着部を覆うように揺動可能に配置され、搬送ガイド面にて前記用紙搬送路の一部を形成する一方、前記搬送ガイド面の反対側に向き合う反転ガイド面にて前記反転搬送路の一部を形成する反転ガイド部材と、装置本体の上面に対して回動可能に支持され、回動動作によって装置本体の上面を開閉可能とする上面カバーと、該上面カバーの開閉動作に連動して、前記反転ガイド部材を、前記定着部を露出させる位置と、前記定着部を覆う位置とに揺動させる駆動機構と、を備えることを特徴としている。
【０００８】
また、第２の発明では、上記の画像形成装置において、前記駆動機構は、前記反転ガイド部材の揺動中心を構成する第１回転軸と、該第１回転軸から第１の距離だけ離間して前記反転ガイド部材に設けられた第１係合部と、前記上面カバーの回動中心を構成する第２回転軸と、該第２回転軸から第２の距離だけ離間して前記上面カバーに設けられ前記第１係合部に係合可能である第２係合部と、を備え、前記上面カバーの開方向への回動動作に連動して、前記第２係合部が前記第２回転軸を中心として回動することによって、前記第１係合部が持ち上げられ、前記反転ガイド部材が前記第１回転軸を中心として揺動することを特徴としている。
【０００９】
また、第３の発明では、上記の画像形成装置において、前記第１係合部は下面が係合面となる凹面状に形成され、前記第２係合部は前記第１係合部の係合面に当接可能である上面を有するフック形状に形成されることを特徴としている。
【００１０】
また、第４の発明では、上記の画像形成装置において、前記第１の距離は前記第２の距離より小さく構成されることを特徴としている。
【００１１】
また、第５の発明では、上記の画像形成装置において、装置本体の側面に対して回動可能に支持され、回動動作によって装置本体の側面を開閉可能とし、開方向の回動によって前記反転搬送路を装置本体から露出させる側面カバーをさらに備え、前記上面カバーの開方向への回動動作によって、前記上面カバーは、前記側面カバー側が開放されるように構成されるとともに、前記反転ガイド部材は、前記定着部が前記側面カバー側に向けて装置本体から露出するように構成されることを特徴されることを特徴としている。
【００１２】
また、第６の発明では、上記の画像形成装置において、前記上面カバーは、装置本体の上面を形成するカバー部材と、前記反転ガイド面に対向して配置される搬送ガイド部材とを有することを特徴としている。
【発明の効果】
【００１３】
第１の発明によれば、定着部にて紙詰まりが生じた場合、装置本体の上面を覆う上面カバーを開くと、上面カバーの開方向への回動動作に連動して、駆動機構によって反転ガイド部材が揺動し、反転ガイド部材に覆われた定着部が反転ガイド部材から露出する。この状態で、定着部に詰まった記録媒体を取り除くことができる。従って、両面印刷のために反転搬送路を備えていても簡単な操作にて定着部のジャム処理が行える。
【図面の簡単な説明】
【００１４】
【図１】本発明の実施形態に係る画像形成装置の全体構成を概略的に示す図
【図２】実施形態に係る画像形成装置の定着部の周辺を示す平面図
【図３】実施形態に係る画像形成装置の反転ガイド部材を示す斜視図
【図４】実施形態に係る画像形成装置の上面カバーを示す斜視図
【図５】実施形態に係る上面カバーのカバー部材を示す斜視図
【図６】実施形態に係る上面カバーの搬送ガイド部材を示す斜視図
【図７】実施形態に係る画像形成装置の駆動機構を模式的に示す断面図
【図８】実施形態に係る画像形成装置の上面カバーを開いた状態の定着部の周辺を示す平面図
【発明を実施するための形態】
【００１５】
以下に本発明の実施形態について図面を参照して説明するが、本発明は、この実施形態に限定されない。また発明の用途やここで示す用語等はこれに限定されるものではない。
【００１６】
図１は、胴内排紙方式の画像形成装置の全体構成を示す図である。画像形成装置１００の下部には、カセットタイプの用紙給紙部１０が配設されている。用紙給紙部１０は上下２段の給紙カセット１０ａ、１０ｂを有し、給紙カセット１０ａ、１０ｂには印刷前の用紙が積載して収容されている。給紙カセット１０ａ、１０ｂに収容された用紙は、選択された給紙カセット１０ａ（１０ｂ）から用紙ピックアップローラー１０ｄ（１０ｅ）により１枚ずつ繰り出され、繰り出された用紙は用紙搬送路１１へと送り出される。
【００１７】
画像形成装置１００の右側面には、手差しトレー１０ｃが配設されている。手差しトレー１０ｃは、給紙カセット１０ａ、１０ｂと異なるサイズの用紙が載置可能である。手差しトレー１０ｃに載置された用紙は用紙搬送路１１へと送り出される。
【００１８】
用紙搬送路１１は、用紙給紙部１０の左方にて装置本体２の上下方向に延設される。用紙給紙部１０から送り出された用紙が、用紙搬送路１１上方のレジストローラー対１２に搬送される。レジストローラー対１２は、用紙にトナー像を転写するタイミングと同期をとって、画像形成部３に向けて用紙を送り出す。
【００１９】
画像形成装置１００の上部には原稿読取装置６が配設され、原稿読取装置６の上面には、プラテン（原稿押さえ）２４が開閉可能に設けられ、さらに、プラテン２４上には原稿搬送装置２７が付設されている。原稿のコピーを行う場合、原稿搬送装置２７に載置された原稿が１枚ずつ分離されて原稿読取部に送り出され、原稿読取装置６によって原稿の画像データが読み取られる。
【００２０】
画像形成装置１００の略中央部には、画像形成部３が配設されている。画像形成部３は、像担持体である感光体５を備え、さらに感光体５の周辺にその回転方向（図中のＡ方向）に沿って順に、帯電部４と、露光ユニット７と、現像部８と、転写ローラー１３、及びクリーニング部１８を備える。現像部８へのトナーの供給はトナーコンテナ９から行われる。クリーニング部１８は、ブレードやブラシ或いは研磨ローラー等のクリーニング部材を有し、クリーニング部材によって感光体５の表面に残留するトナーを剥ぎ取り、回収する。
【００２１】
感光体５の表面が帯電部４によって所定の極性および電位で一様に帯電されると、 露光ユニット７は、原稿読取装置６によって読み取られた原稿の画像データに基づいて、感光体５上に原稿画像の静電潜像を形成する。
【００２２】
現像部８は、帯電したトナーを感光体５の表面に供給し、感光体５上の静電潜像を現像してトナー像を形成する。トナー像は転写ローラー１３によって用紙上に転写される。トナー像が転写された用紙は、用紙搬送路１１の上方に配設される定着部１４へと搬送される。用紙にトナー像が転写された後、感光体５の表面に残留するトナーがクリーニング部１８によってクリーニングされて回収され、さらに図示しない除電装置によって感光体５の表面の残留電荷が除去される。
【００２３】
定着部１４は、熱源を内蔵する定着ローラー１４ａと加圧ローラー１４ｂとを有し、トナー像が転写された用紙を定着ローラー１４ａ及び加圧ローラー１４ｂによって加圧加熱し、用紙上のトナー像を溶融定着させる。トナー像が定着された用紙は、用紙搬送路１１において右上方に搬送され排出ローラー対２０によって排出部である胴内排紙部１７に排出される。
【００２４】
定着部１４と排出ローラー対２０との間の用紙搬送路１１から分岐して反転搬送路１６が設けられる。反転搬送路１６は、用紙の一方の面にトナー像が定着された後、必要に応じて用紙の他方の面にもトナー像を形成するときに用いられるものであり、定着部１４の上方から定着部１４の周りを覆い、さらに用紙搬送路１１と装置本体２の側面２ａとの間を下方に延設され、レジストローラー対１２の近傍の用紙搬送路１１に合流している。
【００２５】
両面印刷を行う場合には、一方の面にトナー像が定着された用紙は、胴内排紙部１７に排出させる途中において、用紙搬送路１１と反転搬送路１６との分岐部を用紙の後端が通過したタイミングで排出ローラー対２０を逆回転させる。これによって、用紙がスイッチバックされ、用紙の印刷面が表裏逆向きにされた状態で反転搬送路１６に送られ、反転搬送路１６から再び用紙搬送路１１のレジストローラー対１２に搬送される。その後、画像形成部３にて用紙の他方の面にもトナー像が転写されると、用紙は定着部１４によって定着処理され胴内排紙部１７に排出される。
【００２６】
定着部１４と、その周辺に配置される反転搬送路１６とは、図２に示すように構成される。図２は、定着部１４の周辺を示す平面図である。尚、図２は、図１の裏面側から見た平面図であり、従って、装置本体２の側面２ａが図２の右側に示され、また、胴内排紙部１７が図２の左側に示される。
【００２７】
定着部１４の周辺には、排出ガイド部材６１と、排出ローラー対２０と、反転ガイド部材６２と、上面カバー５１と、側面カバー５５とが配設される。
【００２８】
排出ガイド部材６１は、定着部１４に対して用紙搬送路１１の下流側で、且つ定着ローラー１４ａに隣接して配置される。排出ガイド部材６１には、搬送ガイド面６１ａが形成される。搬送ガイド面６１ａは、定着ローラー１４ａの上方から排出ローラー対２０まで円弧状に形成され、定着処理された用紙を定着部１４から排出ローラー対２０に案内する。
【００２９】
排出ローラー対２０は、第２支軸２０ｃに固着され上側に配置される排出ローラー２０ａと、排出ローラー２０ａの下側に配置され排出ローラー２０ａに押圧されるコロ２０ｂとを有し、第２支軸２０ｃが回転駆動すると、排出ローラー２０ａが回転するとともにコロ２０ｂが従動回転し、用紙が胴内排紙部１７に排出される。
【００３０】
反転ガイド部材６２は、加圧ローラー１４ｂ外周の上側及び右側面を覆うように配置される。反転ガイド部材６２には、搬送ガイド面６２ａと反転ガイド面６２ｂが形成される。
【００３１】
搬送ガイド面６２ａは、排出ガイド部材６１の搬送ガイド面６１ａに対向して配置され、加圧ローラー１４ｂの上方から排出ローラー対２０に向かって分岐部６２ｃまで延びて形成される。従って、搬送ガイド面６２ａは、排出ガイド部材６１の搬送ガイド面６１ａとともに、定着処理された用紙を定着部１４から排出ローラー対２０に向けて案内する。
尚、分岐部６２ｃは、用紙搬送路１１と反転搬送路１６と略交差する位置に設けられる。
【００３２】
反転ガイド面６２ｂは、搬送ガイド面６２ａの反対側に向き合い、分岐部６２ｃから装置本体２の側面２ａ側まで延びて設けられる。反転ガイド面６２ｂは、上面カバー５１に対し略平行に対向しているが、分岐部６２ｃ側の面が下方に緩やかに傾斜し、また、装置本体２の側面２ａ側の面が下方に向けて円弧状に形成される。従って、用紙の後端が分岐部６２ｃを通過した用紙は、排出ローラー対２０が逆回転すると、反転ガイド面６２ｂの分岐部６２ｃ側の面によって上面カバー５１に対して略平行に案内された後、反転ガイド面６２ｂの側面２ａ側の面によって円弧状に下方に案内され、図示しない搬送ガイドによって、装置本体２の側面２ａと略平行に案内される。さらに、用紙は、反転搬送路１６から用紙搬送路１１のレジストローラー対１２（図１参照）に搬送される。尚、分岐部６２ｃ側の面が下方に緩やかに傾斜することで、用紙搬送路１１から分岐部６２ｃを通過した用紙が、用紙搬送路１１に戻ることなく、滑らかに反転搬送路１６に案内される。
【００３３】
上面カバー５１は、反転ガイド部材６２と、一部の排出ガイド部材６１の上側に対向して配置され、また、排出ローラー対２０の第２支軸２０ｃを中心にして回動可能に支持される。上面カバー５１の矢印Ｂ方向の回動動作によって、反転ガイド部材６２と定着部１４とが装置本体２から露出する。上面カバー５１は、搬送ガイド部材５２とカバー部材５３とを有する。
【００３４】
搬送ガイド部材５２は、反転ガイド部材６２の反転ガイド面６２ｂ及び排出ガイド部材６１の一部の搬送ガイド面６１ａに対向して設けられ、排出ガイド部材６１の搬送ガイド面６１ａとともに定着処理された用紙を分岐部６２ｃから排出ローラー対２０に案内する一方、反転された用紙を反転ガイド面６２ｂとともに反転搬送路１６を水平方向に案内する。
【００３５】
カバー部材５３は装置本体２の上面に対して外装面を形成する。定着部１４の上部には、原稿読取装置６が配設されているが、カバー部材５３と原稿読取装置６との間には空隙部２ｂが形成される。上面カバー５１を第２支軸２０ｃ回りに回動させると、カバー部材５３は、この空隙部２ｂ内で開閉可能となる。
【００３６】
側面カバー５５は、装置本体２の側面２ａに対して外装面を形成し、外装面の反対側には、反転搬送路１６を形成する搬送ガイド面５５ａを有する。搬送ガイド面５５ａは、反転ガイド部材６２の反転ガイド面６２ｂの円弧面に対向する面と装置本体２の側面２ａに対して平行に延びる面とを有する。また、側面カバー５５は、装置本体２の側面２ａの下方において回動可能に支持され、回動動作によって装置本体２の側面２ａを開閉可能とする。側面カバー５５の開方向の回動動作によって、反転搬送路１６が装置本体２から露出する。
【００３７】
反転ガイド部材６２は、図３に示すように揺動可能に支持される。図３は、反転ガイド部材６２の構成を示す斜視図である。
【００３８】
反転ガイド部材６２は一対の第１軸受け６２ｅを有する。一対の第１軸受け６２ｅは、反転ガイド部材６２の長手方向の両端部に設けられ、また、分岐部６２ｃ側（反転搬送路１６の上流側）にて反転ガイド面６２ｂから上側に突出して設けられる。第１軸受け６２ｅは、下側を開放したＵ字状に形成され、装置本体２に設けた一対の第１支軸２ｄに夫々揺動可能に支持される。第１軸受け６２ｅと第１支軸２ｄは、反転ガイド部材６２の揺動中心となる第１回転軸を構成し、反転ガイド部材６２は第１回転軸を中心にして揺動可能となる。尚、反転ガイド部材６２に一対の支軸を設け、装置本体２に一対の軸受け孔を設け、第１回転軸は、反転ガイド部材６２の支軸と装置本体２の軸受け孔とで構成するようにしてもよい。
【００３９】
さらに、反転ガイド部材６２は、第１係合部である一対の凹面６２ｄを有する。一対の凹面６２ｄは、反転ガイド部材６２の長手方向の両端部に設けられる。また、凹面６２ｄは、反転搬送路１６の搬送路に対して第１軸受け６２ｅから離間した位置（反転搬送路１６の下流側の位置）にて反転ガイド面６２ｂの下側に円弧状に窪んで形成される（尚、一対の凹面６２ｄの他方の凹面６２ｄは図３では不可視）。凹面６２ｄは後述する上面カバー５１のフック部５２ａと係合可能であり、上面カバー５１が回動すると、凹面６２ｄとフック部５２ａとの係合によって、反転ガイド部材６２は第１回転軸を中心にして揺動することができる。
【００４０】
図４〜図６は、第２係合部であるフック部５２ａを有する上面カバー５１の詳しい構成を示す。図４は上面カバー５１を下側から見た斜視図であり、図５は上面カバー５１のカバー部材５３を下側から見た斜視図であり、図６は上面カバー５１の搬送ガイド部材５２を下側から見た斜視図である。
【００４１】
図４に示すように、上面カバー５１は、搬送ガイド部材５２とカバー部材５３とを有する。カバー部材５３の内側面に搬送ガイド部材５２が取り付けられ、搬送ガイド部材５２は、排出ローラー対２０の第２支軸２０ｃに回動可能に支持されている。
【００４２】
図５に示すように、カバー部材５３は、外観の仕上げが良好である樹脂にて、外縁に立ち上り部を備えて矩形状に形成される。カバー部材５３は、外装面に対して反対側の内側面５３ｂに複数の嵌め込み突起５３ａが形成される。複数の嵌め込み突起５３ａは、搬送ガイド部材５２をカバー部材５３に取り付けるためのものであり、幅方向の外側を鉤型にして互いに対向して長手方向に並べて配置され、幅方向に弾性変形可能である。
【００４３】
図６に示すように、搬送ガイド部材５２は、耐熱性を有する樹脂にて、カバー部材５３の内側面５３ｂ（図５参照）に収まるように矩形状に形成される。上面カバー５１は、定着部１４に近傍に配設されるために、定着部１４の熱に起因して上面カバー５１の外装面が熱変形する可能性がある。しかし、上面カバー５１をカバー部材５３と搬送ガイド部材５２とに分離して、カバー部材５３と定着部１４との間に耐熱性を有する樹脂からなる搬送ガイド部材５２を介在させることで、カバー部材５３が定着部１４の熱の影響を直接受けなくなり、上面カバー５１は外観性能を損なうことがない。
【００４４】
また、搬送ガイド部材５２は、上面係合部であるフック部５２ａと、カバー部材５３の嵌め込み突起５３ａに係合する嵌め込み孔５２ｂと、第２軸受け５２ｃと、搬送ガイド面５２ｄと、を有する。
【００４５】
嵌め込み孔５２ｂは、カバー部材５３の一対の嵌め込み突起５３ａに係合可能であるように長手方向に複数個形成される。搬送ガイド部材５２をカバー部材５３の内側面５３ｂに対面させてカバー部材５３に収めると、カバー部材５３の嵌め込み突起５３ａが弾性変形して搬送ガイド部材５２の嵌め込み孔５２ｂに係合し、搬送ガイド部材５２はカバー部材５３に取り付けられる。
【００４６】
搬送ガイド面５２ｄは、フィン形状のリブが長手方向に複数個並べて形成され、排出ガイド部材６１の搬送ガイド面６１ａ（図２参照）、及び反転ガイド部材６２の反転ガイド面６２ｂ（図２参照）に対向して配置される。搬送ガイド面５２ｄが排出ガイド部材６１の搬送ガイド面６１ａに対向配置されることで、定着処理された用紙を案内し、また、搬送ガイド面５２ｄが反転ガイド面６２ｂに対向配置されることで、反転された用紙を案内する。
【００４７】
第２軸受け５２ｃは、搬送ガイド部材５２の長手方向の両端部に一対設けられ、また、反転搬送路１６の上流側に設けられる。第２軸受け５２ｃは、下側を開放したＵ字状に形成され、排出ローラー対２０の第２支軸２０ｃ（図４参照）に夫々回転可能に支持される。第２軸受け５２ｃと第２支軸２０ｃは、搬送ガイド部材５２（上面カバー５１）の回動中心となる第２回転軸を構成し、上面カバー５１は第２回転軸を中心に回動可能となる。
【００４８】
フック部５２ａは、搬送ガイド部材５２の長手方向の両端部に一対設けられ、また、反転搬送路１６の下流側に設けられる。フック部５２ａは、長手方向の内側を鉤型に形成され、反転ガイド部材６２（図３参照）の凹面６２ｄに係合可能である。具体的にはフック部５２ａの鉤型部の上面が反転ガイド部材６２の凹面６２ｄに当接可能である。搬送ガイド部材５２（上面カバー５１）が回動すると、フック部５２ａと凹面６２ｄとの係合によって、反転ガイド部材６２は、搬送ガイド部材５２の回動に連動して揺動する。
【００４９】
図７は、上面カバー５１の回動動作にともない反転ガイド部材６２を揺動させる駆動機構を模式的に示す図である。
【００５０】
駆動機構７０は、第１支軸２ｄと第１軸受け６２ｅからなる第１回転軸７１と、第２支軸２０ｃと第２軸受け５２ｃからなる第２回転軸７２と、反転ガイド部材６２に形成された凹面６２ｄ（第１係合部）と、上面カバー５１に設けられたフック部５２ａ（第２係合部）と、を有する。
【００５１】
第１回転軸７１は反転ガイド部材６２の揺動中心を構成し、第２回転軸７２は上面カバー５１の回動中心を構成する。
【００５２】
上面カバー５１のフック部５２ａは、その上面にて反転ガイド部材６２の凹面６２ｄに係合している。上面カバー５１が矢印Ｂ方向（上面カバー５１の開方向）に回動すると、フック部５２ａが第２回転軸７２の回りで矢印Ｂ方向に回動する。フック部５２ａの回動によって、フック部５２ａに当接する凹面６２ｄが持ち上げられ、反転ガイド部材６２は第１回転軸７１の回りで矢印Ｂ方向に揺動する。
【００５３】
ここで、第１回転軸７１から凹面６２ｄまでの距離を第１の距離Ｘ１とし、また、第２回転軸７２からフック部５２ａまでの距離を第２の距離Ｘ２とする。第１の距離Ｘ１は第２の距離Ｘ２より小さく構成されている。この構成よれば、第１回転軸７１は、第２回転軸７２に対して反転搬送路１６の下流側に配置されていることになる。尚、第１の距離Ｘ１は、フック部５２ａに当接する凹面６２ｄの位置と第１回転軸７１との距離である。
【００５４】
上記実施形態によれば、上面カバー５１を矢印Ｂ方向に所定の角度だけ回動させて、上面カバー５１を開くと、上面カバー５１の開方向への回動動作に連動して、反転ガイド部材６２が矢印Ｂ方向に所定の角度よりも大きく揺動する。従って、反転ガイド部材６２に覆われた定着部１４（図２参照）が、反転ガイド部材６２から広く露出することになり、定着部１４のジャム処理が行い易くなる。また、本実施形態のように、定着部１４の上側に原稿読取装置６等の別部材が配設され、上面カバー５１と原稿読取装置６との空隙が小さくて、上面カバー５１を大きく回動させて開くことができない場合にも適用することができる。この場合には画像形成装置が小型になる。
【００５５】
尚、上記実施形態では、第１の距離Ｘ１を第２の距離Ｘ２より小さく構成したが、上面カバー５１を大きい角度で開けることが可能である等、定着部１４の周辺の部材の配置、構成により、適宜、第１の距離Ｘ１が第２の距離Ｘ２に対して同等以上であるように構成してもよい。
【００５６】
図８は、上面カバー５１を開いた状態の定着部１４の周辺を示す平面図である。定着ローラー１４ａと加圧ローラー１４ｂとの間に用紙が詰まり、用紙を定着部１４から取り除く場合、まず、側面カバー５５を装置本体２に対して開く。側面カバー５５を開くと、反転ガイド部材６２が装置本体２から露出する。次に、上面カバー５１を装置本体２に対して開く。上面カバー５１を開く、即ち、上面カバー５１が第２支軸２０ｃを中心に回動すると、上面カバー５１の回動動作に連動して、反転ガイド部材６２が上面カバー５１と同じ方向に第１支軸２ｄを中心に揺動する。反転ガイド部材６２の揺動によって、定着部１４が反転ガイド部材６２から露出する。この状態で、定着部１４に詰まった用紙を簡単に取り除くことができる。
【００５７】
また、上記実施形態によれば、上面カバー５１の開方向への回動動作によって、上面カバー５１は、側面カバー５５側が開放されるように構成されるとともに、反転ガイド部材６２は、定着部１４が側面カバー５５側に向けて装置本体２から露出するように構成される。側面カバー５５の開閉及び上面カバー５１の開閉の操作と、定着部１４からの用紙の除去が常に側面カバー５５から行われるために、ジャム処理を行い易い。
【００５８】
また、上記実施形態によれば、駆動機構７０は、第１回転軸７１と、第２回転軸７２と、反転ガイド部材６２に形成された凹面６２ｄと、上面カバー５１に設けられたフック部５２ａと有する簡単な構成からなるが、上面カバー５１の回動動作に連動して、反転ガイド部材６２に覆われた定着部１４を露出させることがきる。
【００５９】
尚、上記実施形態では、側面カバー５５の搬送ガイド面５５ａが反転ガイド部材６２の反転ガイド面６２ｂとともに反転搬送路１６を形成する構成を示したが、本発明はこれに限らず、側面カバー５５の搬送ガイド面５５ａの替わりに、搬送ガイド部材５２の搬送ガイド面５２ｄが反転搬送路１６の下流側にさらに延設するようにして、延設した搬送ガイド面５２ｄが反転ガイド部材６２の反転ガイド面６２ｂに対向するように構成してもよい。この構成において、定着部１４のジャム処理を行う場合、側面カバー５５を開けることなく、上面カバー５１を開けるだけで、上面カバー５１の回動動作に連動して、反転ガイド部材６２に覆われた定着部１４を露出させることがきる。
【００６０】
また、上記実施形態では、定着部１４の上側に原稿読取装置６が配設される画像形成装置１００に適用した例を示したが、本発明はこれに限らず、定着部１４の上側には、原稿読取装置６が配設されておらずに上面カバー５１が配設されるプリンター等の画像形成装置に適用してもよい。
【００６１】
また、上記実施形態では、上面カバー５１はカバー部材５３と搬送ガイド部材５２とで構成する例を示したが、本発明はこれに限らず、上面カバー５１を一つの部材にて構成してもよい。
【００６２】
また、上記実施形態では、上面カバー５１にフック部５２ａを設け、反転ガイド部材６２に凹面６２ｄを形成する構成を示したが、本発明はこれに限らず、上面カバー５１には凹面を設けて、反転ガイド部材６２には凸部を形成し、反転ガイド部材６２の凸部の下側が上面カバー５１の凹面に当接する構成であってもよい。この場合、上面カバー５１の回動動作によって、上面カバー５１の凹面が反転ガイド部材６２の凸部を持ち上げ、反転ガイド部材６２が揺動することになり、上記実施形態と同様の効果を奏する。
【産業上の利用可能性】
【００６３】
本発明は、複写機、プリンター、ファクシミリ、それらの複合機等の画像形成装置に利用することができ、特に、装置上方に位置する定着部のジャム処理機構を有する画像形成装置に利用することができる。
【符号の説明】
【００６４】
２    装置本体
２ａ    側面
２ｂ    空隙部
２ｄ    第１支軸（第１回転軸）
３    画像形成部
５    感光体（像担持体）
１１    用紙搬送路
１４    定着部
１４ａ    定着ローラー
１４ｂ    加圧ローラー
１６    反転搬送路
１７    胴内排紙部（排出部）
２０    排出ローラー対
２０ａ    排出ローラー
２０ｂ    コロ
２０ｃ    第２支軸（第２回転軸）
５１    上面カバー
５２    搬送ガイド部材
５２ａ    フック部（第２係合部）
５２ｂ    嵌め込み孔
５２ｃ    第２軸受け（第２回転軸）
５２ｄ    搬送ガイド面
５３    カバー部材
５３ａ    嵌め込み突起
５３ｂ    内側面
５５    側面カバー
５５ａ    搬送ガイド面
６１    排出ガイド部材
６１ａ    搬送ガイド面
６２    反転ガイド部材
６２ａ    搬送ガイド面
６２ｂ    反転ガイド面
６２ｃ    分岐部
６２ｄ    凹面（第１係合部）
６２ｅ    第１軸受け（第１回転軸）
７０    駆動機構
７１    第１回転軸
７２    第２回転軸
１００    画像形成装置
【図１】
0005538292.tif 000002
【図７】
0005538292.tif 000003
【図２】
0005538292.tif 000004
【図３】
0005538292.tif 000005
【図４】
0005538292.tif 000006
【図５】
0005538292.tif 000007
【図６】
0005538292.tif 000008
【図８】
0005538292.tif 000009